(57)【要約】【課題】  筐体に取付固定したエンジンユニットにランプユニットの前端部を結合一体化することによってランプユニットを片持ち状態で支持させた場合のランプユニットの振れ運動や垂下りを防止する。【解決手段】  エンジンユニット３のハウジング３２に設けた第１突片部３７に、ランプユニット１の前端部でそのケース２に設けられた第２突片部２２を重ね合わせてその重なり箇所をビス止めする。門形の遮熱板５の脚片部５１に取付具７を取り付け、その取付具７のビス止め片７１に、ランプユニット１の後端部側に偏った箇所に設けた第３突片部４１を重ね合わせてビス止めする。全部の取付ビス８１，８２のねじ込み方向を同一にして組立作業性を高める。【選択図】        図１
2007293115.tif 000002
【特許請求の範囲】
【請求項１】
遮熱板によって外周囲が覆われたランプユニットとこのランプユニットから出射される光を処理して画像を投射するエンジンユニットとが筐体に収容されているプロジェクタにおいて、
上記筐体に取付固定されている上記エンジンユニットのハウジングに設けられた第１突片部に上記ランプユニットの前端部でそのケースに設けられた第２突片部が重ね合わされて、それらの重なり箇所がランプユニットからエンジンユニットに至る光路を挟む両側の２箇所で、ねじ込み方向が同一の２本の取付ビスによりビス止めされてエンジンユニットにランプユニットが片持ち状態で支持されていることに加え、
上記遮熱板が門形に形作られてその脚片部が上記筐体の複数箇所に取付固定されていると共にその脚片部にビス止め片を有する取付具を追加して取り付けてあり、その取付具のビス止め片に上記ランプユニットの後端部側に偏った箇所でそのケースに設けられた第３突片部を重ね合わせて、それらの重なり箇所を２本の上記取付ビスと同一のねじ込み方向にねじ込まれた取付ビスによってビス止めすることによって上記エンジンユニットに対するランプユニットの振れ運動を防いであり、
上記ランプユニットと上記遮熱板の脚片部とのうちの一方側に具備された凸条と、他方側に具備されて上記凸条がスライドして嵌合される凹条とを備えるガイド機構を有し、このガイド機構の凸条と凹条とをスライドして嵌合させることによって上記ランプユニットのケースに設けられている第２突片部が上記エンジンユニットのハウジングの第１突片部に重なり合うと共に、上記ランプユニットのケースに設けられている第３突片部が上記取付具の突片部に重なり合うようになっていることを特徴とするプロジェクタ。
【請求項２】
遮熱板によって外周囲が覆われたランプユニットとこのランプユニットから出射される光を処理して画像を投射するエンジンユニットとが筐体に収容されているプロジェクタにおいて、
上記筐体に取付固定されている上記エンジンユニットに上記ランプユニットの前端部を結合一体化してエンジンユニットにランプユニットを片持ち状態で支持させてあることに加え、上記筐体に取付固定された上記遮熱板で上記ランプユニットの後端部側に偏った箇所を支持させることによってそのランプユニットの振れ運動を防いであることを特徴とするプロジェクタ。
【請求項３】
上記エンジンユニットと上記ランプユニットの前端部との結合箇所では、ランプユニットのケースに設けられた第２突片部がエンジンユニットのハウジングに設けられた第１突片部に重ね合わされてそれらの重なり箇所がランプユニットからエンジンユニットに至る光路を挟む両側の２箇所でビス止めされ、
上記遮熱板による上記ランプユニットの支持箇所では、遮熱板に取り付けられた取付具の突片部に、ランプユニットのケースに設けられた第３突片部が重ね合わされてその重なり箇所がビス止めされている請求項２に記載したプロジェクタ。
【請求項４】
上記第１突片部と上記第２突片部との重なり箇所の２箇所をビス止めしている２本の取付ビスのねじ込み方向が同一の方向に定められていると共に、それらの取付ビスのねじ込み方向と同一の方向に、上記取付具の突片部と上記ケースの第３突片部との重なり箇所をビス止めしている取付ビスのねじ込み方向が定められている請求項３に記載したプロジェクタ。
【発明の詳細な説明】
【技術分野】
【０００１】
本発明は、プロジェクタ、特に、光源を備えるランプユニットが、このランプユニットから出射される光を処理して画像を投射するエンジンユニットに結合一体化されて筐体に収容されていて、ランプユニットの外周囲を遮熱板で覆ってそのランプユニットの発熱の影響がその周囲に及ぶことを抑制してあるプロジェクタに関する。
【背景技術】
【０００２】
この種のプロジェクタでは、ランプユニットやエンジンユニットの筐体内でのレイアウトや両者の筐体内定位置への設置手段に工夫を講じることによって、筐体によって形作られる全体形状のコンパクト化を図ることが行われているほか、ランプユニットやエンジンユニットなどによって構成される光学系の光学精度を高めることや、ランプユニットの着脱性を高めるための対策などについての種々の研究が行われている（たとえば、特許文献１、特許文献２、特許文献３参照）。
【０００３】
このうち、特許文献１には、光学部品ホルダの円筒状部にランプケースの前端部の位置決めボス部を挿入した上で、ランプケースをランプケースホルダに複数箇所でビス止めすることが記載されている。また、特許文献２には、画像投射ユニットとランプボックスとの位置決め精度を高めて光学性能を向上させる対策についての記述がある。そして、これらの特許文献１や特許文献２には、エンジンユニットに相当する部品とランプユニットに相当する部品とを筐体内で横に並べて設置することについても記述がある。さらに、特許文献３には、天井に取り付けられた投影機のランプユニットを下方から着脱するときの着脱性を高めることについての記述がある。
【０００４】
ところで、プロジェクタにおいて、筐体に取付固定されているエンジンユニットにランプユニットの前端部を結合一体化させた場合、ランプユニットはエンジンユニットに対して片持ち状態で支持されることになるため、落下衝撃などがそのプロジェクタに加えられたときに片持ち状態のランプユニットが振れ運動を行う。そのため、ランプユニットの周囲に上記した遮熱板が配備されていると、その遮熱板にランプユニットが衝突して遮熱板に打痕が付き、その打痕がユーザの目につくという好ましくない事態が起こり得る。また、通常時においても、ランプユニットがその自重によってエンジンユニットに対して垂れ下がった状態になることがあり、仮にランプユニットが垂れ下がっていると、ランプユニットや遮熱板に備わっている排気口部同士の嵌合箇所が位置ずれする（嵌合状態が緩む）というおそれが生じる。そして、そのように排気口部同士の嵌合箇所が位置ずれしたり緩んでいたりすると、ランプユニットの光源であるバルブが破裂したときに、その破砕片が嵌合箇所に生じた隙間から飛散してしまうというおそれがある。
【０００５】
この点に関し、特許文献１に記載されているものは、光学部品ホルダの円筒状部に、ランプケースの前端部の位置決めボス部を挿入することによってランプケースの片持ち状態を形成した上で、ランプケースをランプケースホルダに複数箇所でビス止めするという対策を講じているので、ランプケースの振れ運動や垂下りが抑制されるものとも考えられる。しかしながら、この構成において、光学部品ホルダの円筒状部に、ランプケースの前端部の位置決めボス部を挿入してあるのは、光学部品ホルダとランプケースとを円筒状部の半径方向でただ単に位置決めする作用を期待しているだけであって、ランプケースを光学部品ホルダに片持ち状態で結合一体化しているというものではない。したがって、円筒状部に位置決めボス部を挿入している構成によっては、光学部品ホルダーに対してランプケースが光路に沿う方向（円筒状部の軸線方向）に位置ずれすることを避けられず、この点を改善するために、ランプケースをランプケースホルダに複数箇所でビス止めしてランプケースが光路に沿う方向（円筒状部の軸線方向）に位置ずれすることを防いでいるに過ぎない。
【０００６】
このことから、特許文献１によって開示されている技術によっては、筐体に取付固定されているエンジンユニットにランプユニットの前端部を結合一体化させることによってランプユニットをエンジンユニットに対して片持ち状態で支持させた場合のランプユニットの振れ運動や垂下りを防ぐことはできない。
【特許文献１】特開２００５−４３６０３号公報
【特許文献２】実用新案登録第３０９２１６１号公報
【特許文献３】特開平２−１１３７３０号公報
【発明の開示】
【発明が解決しようとする課題】
【０００７】
本発明は以上の状況に鑑みてなされたものであり、筐体に取付固定されているエンジンユニットにランプユニットの前端部を結合一体化させることによってランプユニットをエンジンユニットに対して片持ち状態で支持させた場合のランプユニットの振れ運動や垂下りを防ぐことのできる有効な対策を提案することを主要な目的としている。
【０００８】
また、本発明は、そのような主要な目的を達成する手段を講じたプロジェクタにおいて、ランプユニットの組付け作業性を改善することのできる具体的構成を提供することを他の目的としている。
【課題を解決するための手段】
【０００９】
本発明に係るプロジェクタは、遮熱板によって外周囲が覆われたランプユニットとこのランプユニットから出射される光を処理して画像を投射するエンジンユニットとが筐体に収容されている。そして、上記筐体に取付固定されている上記エンジンユニットに上記ランプユニットの前端部を結合一体化してエンジンユニットにランプユニットを片持ち状態で支持させてあることに加え、上記筐体に取付固定された上記遮熱板で上記ランプユニットの後端部側に偏った箇所を支持させることによってそのランプユニットの振れ運動を防いである。
【００１０】
ここでいう「結合一体化」とは、エンジンユニットにランプユニットを動かないように一体的に結合した状態を構成をすることを意味している。したがって、上記構成であると、エンジンユニットにランプユニットの前端部が結合一体化されていることにより、ランプユニットはエンジンユニットに対する遠近方向及びその遠近方向に直交する方向に対して位置決めされている。そのため、上掲の特許文献１に見られる光学部品ホルダの円筒状部に、ランプケースの前端部の位置決めボス部を挿入した構成とは相違している。
【００１１】
そして、この発明では、エンジンユニット及び遮熱板が共に筐体に取付固定されていて、エンジンユニットに片持ち状態で結合一体化されたランプユニットの後端部側に偏った箇所を上記遮熱板に支持させるという構成を採用したので、ランプユニットの振れ運動や垂下りが防止されるようになる。
【００１２】
上記のようなプロジェクタの構成は、上記エンジンユニットと上記ランプユニットの前端部との結合箇所では、ランプユニットのケースに設けられた第２突片部がエンジンユニットのハウジングに設けられた第１突片部に重ね合わされてそれらの重なり箇所がランプユニットからエンジンユニットに至る光路を挟む両側の２箇所でビス止めされ、上記遮熱板による上記ランプユニットの支持箇所では、遮熱板に取り付けられた取付具の突片部に、ランプユニットのケースに設けられた第３突片部が重ね合わされてその重なり箇所がビス止めされている、という構成を採用することによって具体化される。そして、この構成を採用すると、エンジンユニットとランプユニットの前端部との結合箇所では、第１突片部と第２突片部との重なり箇所の２箇所がビス止めされているので、その結合箇所の強度が高くなり、ランプユニットが片持ち状態になっているとしても、その結合箇所によってランプユニットの振れ運動や垂下りがある程度までは阻止されるようになる。また、遮熱板によるランプユニットの支持箇所では、第３突片部と遮熱板に取り付けた取付具の突片部との重なり箇所がビス止めされているために、この支持箇所でランプユニットが遮熱板に動かないように結合されることになって上記した振れ運動や垂下りが確実に防止されることになる。
【００１３】
本発明では、上記第１突片部と上記第２突片部との重なり箇所の２箇所をビス止めしている２本の取付ビスのねじ込み方向が同一の方向に定められていると共に、それらの取付ビスのねじ込み方向と同一の方向に、上記取付具の突片部と上記ケースの第３突片部との重なり箇所をビス止めしている取付ビスのねじ込み方向が定められていることが望ましい。これによれば、第１突片部と上記第２突片部とを重ね合わせると共に、取付具の突片部とケースの第３突片部とを重ね合わせた後に、それらの各重なり箇所への取付ビスのねじ込みないし締付けを同一方向から行うことができるために、複数箇所の取付ビスのねじ込み方向が異なっている場合に比べると、取付ビスのねじ込み作業を行いやすくなってそれだけランプユニットの組付け作業性が改善される。
【００１４】
本発明に係るプロジェクタは、遮熱板によって外周囲が覆われたランプユニットとこのランプユニットから出射される光を処理して画像を投射するエンジンユニットとが筐体に収容されているプロジェクタにおいて、上記筐体に取付固定されている上記エンジンユニットのハウジングに設けられた第１突片部に上記ランプユニットの前端部でそのケースに設けられた第２突片部が重ね合わされて、それらの重なり箇所がランプユニットからエンジンユニットに至る光路を挟む両側の２箇所で、ねじ込み方向が同一の２本の取付ビスによりビス止めされてエンジンユニットにランプユニットが片持ち状態で支持されていることに加え、上記遮熱板が門形に形作られてその脚片部が上記筐体の複数箇所に取付固定されていると共にその脚片部にビス止め片を有する取付具を追加して取り付けてあり、その取付具のビス止め片に上記ランプユニットの後端部側に偏った箇所でそのケースに設けられた第３突片部を重ね合わせて、それらの重なり箇所を２本の上記取付ビスと同一のねじ込み方向にねじ込まれた取付ビスによってビス止めすることによって上記エンジンユニットに対するランプユニットの振れ運動を防いであり、上記ランプユニットと上記遮熱板の脚片部とのうちの一方側に具備された凸条と、他方側に具備されて上記凸条がスライドして嵌合される凹条とを備えるガイド機構を有し、このガイド機構の凸条と凹条とをスライドして嵌合させることによって上記ランプユニットのケースに設けられている第２突片部が上記エンジンユニットのハウジングの第１突片部に重なり合うと共に、上記ランプユニットのケースに設けられている第３突片部が上記取付具の突片部に重なり合うようになっている、という構成を採用することにいっそう具体化される。特にこの発明によれば、ガイド機構を利用してランプユニットを門形に形作られた遮熱板に嵌め込んでいく作業を行うだけで、第２突片部が第１突片部に重なり合い、かつ、第３突片部が取付具の突片部に重なり合うので、取付ビスをねじ込む際の前作業である第２突片部と第１突片部との位置決め工程や第３突片部と突片部との位置決め工程を容易にかつ迅速に行うことができるようになって、それだけランプユニットの組付け作業性が改善されるという作用が奏される。その他の作用については、後述する実施形態を参照して詳細に説明する。
【発明の効果】
【００１５】
以上のように、本発明によれば、筐体に取付固定されているエンジンユニットにランプユニットの前端部を結合一体化させることによってランプユニットをエンジンユニットに対して片持ち状態で支持させた場合のランプユニットの振れ運動や垂下りが防止される。そのため、落下衝撃が加わった場合にランプユニットが振れ運動を起こして遮熱板に打痕を残すといった事態が防止されるだけでなく、通常時のランプユニットの垂下りも生じなくなって、ランプユニットが垂れ下がって排気口部同士の嵌合箇所が位置ずれすることに起因する嵌合箇所の緩みが発生しなくなる。そのために、ランプユニットの光源であるバルブが破裂したとしても、その破砕片が嵌合箇所に生じた隙間から飛散してしまうという事態が防止されてユーザにとっての安全性が向上する。
【００１６】
また、本発明によると、ランプユニットの組付け性が改善されてプロジェクタの組立作業性が向上するので、その量産性を高める上で有益であると云える。
【発明を実施するための最良の形態】
【００１７】
図１は本発明の実施形態に係るプロジェクタの要部を下面側から見て示した平面図、図２はエンジンユニット３とランプユニット１との結合一体化箇所の一部破断側面図、図３は遮熱板５に取り付けられた取付具７の斜視図、図４はランプユニット１と遮熱板５との相対位置関係を説明的に示した概略斜視図である。
【００１８】
このプロジェクタは、ランプユニット１、エンジンユニット３、遮熱板５などを備えていて、それらが図示していない偏平な箱形の筐体に収容されている。そして、ランプユニット１は、光源としてのバルブやバルブの光を反射して指向性を付与するリフレクタなどをケース２に収容してなる。これに対し、エンジンユニット３は、ランプユニット１から出射される光を処理してそのレンズ筒３１に装備された投影レンズで画像をスクリーン（不図示）に映し出す作用を行う。さらに、遮熱板５は、ランプユニット１の発熱による悪影響がその周囲に及ばないようにする作用を発揮する。
【００１９】
エンジンユニット３はキャスティング品であるハウジング３２の内部に光学部品などを収容してなり、そのハウジング３２の両側の側壁にそれぞれ一体成形されている取付片部３３，３４が、筐体に設けられているボス９１，９２にビス止めされる。また、このエンジンユニット３のハウジング３２の片側の側壁には、その側方へ突き出た構体３５が備わり、その構体３５に設けられた取付片部３６が、上記した取付片部３３，３４と同様に筐体に設けられているボス９３にビス止めされる。さらに、この構体３５には第１突片部３７が備わっている。この実施形態では第１突片部３６が２つに分割されて構体３５の突出し端の両側に振り分けて具備されている。なお、構体３５には図示していない光学部品が装備される。
【００２０】
ランプユニット１は、そのケース２の前端部に第２突片部２２を備えていて、この実施形態ではその第２突片部３６が２つに分割されてケース２の前端部の両側に振り分けて具備されている。
【００２１】
遮熱板５は、図４に仮想線で示したように門形に形作られた樹脂成形体でなり、その片側の脚片部５１に、上記したランプユニット１のケース２の後端部に横向きに開口された通風口２３に連通される排気口５２を備えている。図１のように、この遮熱板５は、その両側の脚片部５１，５３に振り分けて配備された取付片部５４，５５，５６，５７を備えていて、それらの取付片部５４〜５７が、筐体の底板から立ち上げられたボス９４，９５や筐体の側板に設けられた取付部９６，９７にそれぞれビス止めされる。
【００２２】
図１のように、ランプユニット１のケース２と遮熱板５の両側の各脚片部５１，５３とのうちの一方側（図例ではケース２側）に凸条６１が備わっているのに対し、その他方側（図例では遮熱板５の脚片部５１，５３）に凹条６２が備わっていて、これらの凸条６１と凹条６２とによってガイド機構６が構成されている。そして、エンジンユニット３と遮熱板５とを筐体にそれぞれビス止めした状態で、筐体の底板に開設されている開口（不図示）を利用して、ランプユニット１のケース２の両側の凸条６１のそれぞれを、遮熱板５の脚片部５１，５３のそれぞれの凹条６２にスライドして嵌合させると、ランプユニット１のケース２の前端部に備わっている２つの第２突片部２２，２２が、エンジンユニット３側の構体３５の突出し端に備わっている２つの第１突片部３７，３７の下側に重なり合うようになっている。そして、図２に示したように、第１突片部３７に形成されているねじ孔３８に、第１突片部２２のビス挿通孔２４に挿通させた取付ビス８１をねじ込んで締め付けることによって、第１突片部３７，３７と第２突片部２２，２２とがその重なり箇所の２箇所で結合され、それによってエンジンユニット２にランプユニット１が片持ち状態で結合一体化される。なお、取付ビス８１による２箇所の取付箇所は、ランプユニット１から出てエンジンユニット３に入る光の光路を挟む両側位置に定められている。
【００２３】
こうしてエンジンユニット３にランプユニット１の前端部が結合一体化されていると、エンジンユニット３に対してランプユニット１が遠近方向や上下方向、前後方向で動かないように位置決めされた状態になっている。
【００２４】
しかしながら、ランプユニット１はその前端部がエンジンユニット３に結合一体化されているだけであるので、大きな落下衝撃などが加わったときには、ランプユニット１が振れ運動を行うおそれがある。そこで、この実施形態では、ランプユニット１をその後端部側に偏った箇所で遮熱板５に支持させるという構成を採用することによって、大きな落下衝撃などが加わったときなどに起こり得るランプユニット１の振れ運動を防いでいる。
【００２５】
すなわち、図１のように、門形の遮熱板５の片側の脚片部５１に取付具７を追加して取り付け、その取付具７のビス止め片７１に、ランプユニット１の後端部側に偏った箇所でそのケース２に設けた第３突片部４１を重ね合わせ、それらの重なり箇所を取付ビス８２によってビス止めしている。こうしておくと、ランプユニット１がその前端部と後端部に偏った箇所との２箇所で両持ちされるために、大きな落下衝撃などが加わったとしてもそのランプユニット１がエンジンユニット３に対して振れ運動を起こしたりすることがなくなる。勿論、垂下りも生じない。
【００２６】
図３に示した取付具７は、遮熱板５の脚片部５１に対角方向の２箇所がビス止めされた取付片７２に上記ビス止め片７１を曲成してなり、そのビス止め片７１には、上記第３突片部４１のビス挿通孔に挿通された取付ビス８２がねじ込まれるねじ孔７２が備わっている。なお、７３は、脚片部５１に突設された位置決めボス５８に嵌合される位置決め孔である。
【００２７】
この実施形態では、遮熱板５の脚片部５１に対する取付具７の取付位置を、図４に示した排気口５２の近くに定めてある。そのため、この取付具７のビス止め片７１による第２突片部４１の支持箇所も排気口５２の近くに位置するようになる。その結果、ランプユニット１のケース２側の通風口２３と遮熱板５の排気口５２との連通箇所でケース２と遮熱板５とが位置ずれしにくくなる。このため、仮にランプユニット１の内部でバルブが破裂したような場合でも、通風口２３と排気口５２との位置ずれによって生じる隙間からその破砕片が飛び散るという事態が防止される。
【００２８】
また、この実施形態では、図１によって明らかなように、第３突片部４１を取付具７のビス止め片７１にビス止めしている取付ビス４１のねじ込み方向を、上記した第２突片２２，２２を第１突片３７，３７にビス止めしている２本の取付ビス８１，８１のねじ込み方向に合わせてある。このため、組立作業者にとってのそれら３箇所でのビス止め作業性が向上し、そのことが量産性を高めることに役立つことが判った。
【図面の簡単な説明】
【００２９】
【図１】本発明の実施形態に係るプロジェクタの要部を下面側から見て示した平面図である。
【図２】エンジンユニットとランプユニットとの結合一体化箇所の一部破断側面図である。
【図３】遮熱板に取り付けられた取付具の斜視図である。
【図４】ランプユニットと遮熱板との相対位置関係を説明的に示した概略斜視図である。
【符号の説明】
【００３０】
１  ランプユニット
３  エンジンユニット
５  遮熱板
６  ガイド機構
７  取付具
２２  第２突片部
３２  エンジンユニットのハウジング
３７  第１突片部
４１  第３突片部
５１，５３  遮熱板の脚片部
６１  凸条
６２  凹条
７１  ビス止め片
８１，８２  取付ビス
【図１】
2007293115.tif 000003
【図２】
2007293115.tif 000004
【図３】
2007293115.tif 000005
【図４】
2007293115.tif 000006